【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
車両ロックであって、
当該車両ロックは、施錠エレメント、ラッチおよび戻り止め（１）ならびにロック機構（２）を備えており、該ロック機構（２）は、異なる機能状態「ロック作動」、「ロック解除」、「盗難防止」または「チャイルドロック作動」に調節されるようになっており、このために適切な機能位置に変位可能な少なくとも１つの機能エレメント（３）を備えている、車両ロックにおいて、
少なくとも１つの機能エレメント（３）は、弾性的に撓曲可能なワイヤまたはストリップとして形成されていて、かつ曲げ−機能エレメントとして異なる機能位置に弾性的に変位されるようになっていることを特徴とする、車両ロック。
【請求項２】
曲げ−機能エレメント（３）は、大体において、該曲げ−機能エレメント（３）の少なくとも一部の長手延伸方向に対して垂直の幾何学的な曲げ軸線を中心に撓曲されるようになっている、請求項１記載の車両ロック。
【請求項３】
曲げ−機能エレメント（３）は、少なくとも部分的に真っ直ぐに形成されていて、かつ／または、曲げ−機能エレメント（３）は、部分的に弾性的に撓曲され、残りの部分では固く形成されている、請求項１または２記載の車両ロック。
【請求項４】
曲げ−機能エレメント（３）は、曲げビームとして形成されている、請求項１から３までのいずれか１項記載の車両ロック。
【請求項５】
曲げ−機能エレメント（３）は、車両ロックの２つの調節エレメント（１，４，５）の間の切換可能な連結のための作動エレメントとして用いられるか、または、曲げ−機能エレメント（３）自体が、車両ロックの２つの調節エレメント（１，４，５）の間の切換可能な連結部を提供する、請求項１から４までのいずれか１項記載の車両ロック。
【請求項６】
曲げ−機能エレメント（３）は、車両ロックの有利には旋回可能な少なくとも２つの調節エレメント（１，４，５）の間の切換可能な連結部を提供し、第１機能位置において調節エレメントと係合するか、または係合させることができ、調節エレメントを連結し、第２機能位置において、少なくとも１つの調節エレメントとの係合が解除され、調節エレメントを分離する、請求項１から５までのいずれか１項記載の車両ロック。
【請求項７】
曲げ−機能エレメント（３）を介して伝達される力が、曲げ−機能エレメント（３）の延伸方向に対して横向きに作用する、請求項１から６までのいずれか１項記載の車両ロック。
【請求項８】
曲げ−機能エレメント（３）は、１機能位置において、ロック機構（２）の調節エレメントをブロックするように、該調節エレメントに作用する、請求項１から７までのいずれか１項記載の車両ロック。
【請求項９】
ロック機構（２）は、旋回可能な外側作動レバー（４）と、場合によっては旋回可能な内側作動レバー（５）とを備えており、ロック機構（２）は、少なくとも１つの曲げ−機能エレメント（３）を様々な機能位置に変位させることによって、対応する機能状態、有利には機能状態「ロック解除」および「ロック作動」、さらに有利には機能状態「盗難防止」、さらに有利には機能状態「チャイルドロック作動」に調節されるようになっている、請求項１から８までのいずれか１項記載の車両ロック。
【請求項１０】
曲げ−機能エレメント（３）は、外側作動レバー（４）、場合によっては存在する内側作動レバー（５）および戻り止め（１）の旋回軸線のうちの一本に関して、概ね半径方向に方向付けされており、有利には、外側作動レバー（４）、場合によっては存在する内側作動レバー（５）および戻り止め（１）は、該旋回軸線を中心に旋回されるようになっている、請求項９記載の車両ロック。
【請求項１１】
戻り止め（１）または該戻り止め（１）と連結されたレバーが、戻り止め−連行輪郭（６）を備えており、有利には、外側作動レバー（４）または該外側作動レバー（４）と連結されたレバーが、外側作動−連行輪郭（７）を備えており、機能位置「ロック解除」に位置する曲げ−機能エレメント（３）では、外側作動レバー（４）は、外側作動−連行輪郭（７）と曲げ−機能エレメント（３）と戻り止め−連行輪郭（６）とを介して、戻り止め（１）と連結されており、有利には、機能状態「ロック作動」において、曲げ−機能エレメント（３）は、戻り止め−連行輪郭（６）および／または外側作動−連行輪郭（７）との係合を解除されており、外側作動レバー（４）は、戻り止め（１）から分離されている、請求項９および場合によっては１０記載の車両ロック。
【請求項１２】
内側作動レバー（５）または該内側作動レバー（５）と連結されたレバーが、内側作動−連行輪郭（８）を備えており、機能位置「ロック解除」に位置する曲げ−機能エレメント（３）では、内側作動レバー（５）は、内側作動−連行輪郭（８）と曲げ−機能エレメント（３）と戻り止め−連行輪郭（６）とを介して、戻り止め（１）と連結されており、有利には、機能状態「ロック作動」において、曲げ−機能エレメント（３）は、戻り止め−連行輪郭（６）および／または内側作動−連行輪郭（８）との係合を解除されており、内側作動レバー（５）は、戻り止め（１）から分離されている、請求項１１記載の車両ロック。
【請求項１３】
機能状態「ロック作動」に位置するロック機構（２）では、内側作動レバー（５）の作動によって、ロック機構（２）が機能状態「ロック解除」に移行し、有利には、内側作動レバー（５）の作動に関して、はじめに空走が設けられており、空走の終了時に、機能状態「ロック解除」へのロック機構（２）の移行が行われる、請求項９および場合によっては請求項１０から１２までのいずれか１項記載の車両ロック。
【請求項１４】
有利にはモータ式の制御駆動装置（１０）が設けられており、該制御装置（１０）に、少なくとも１つの曲げ−機能エレメント（３）が対応して配置されており、制御駆動装置（１０）によって、該制御装置（１０）に対応して配置された曲げ−機能エレメント（３）が、少なくとも１つの機能位置に変位されるようになっており、有利には、制御駆動装置（１０）は、制御軸（１１）を備えており、該制御軸（１１）に、該制御軸（１１）に対応して配置された曲げ−機能エレメント（３）が支持されており、制御軸（１１）の変位によって、曲げ−機能エレメント（３）が変位されるようになっており、さらに有利には、制御軸（１１）は、制御位置「ロック解除」および「ロック作動」に変位されるようになっており、制御軸（１１）に対応して配置された曲げ−機能エレメント（３）は、適切な機能位置に移行されるか、もしくは解放される、請求項１から１３までのいずれか１項記載の車両ロック。
【請求項１５】
制御軸（１１）は、カム軸として形成されており、該制御軸（１１）に対応して配置された曲げ−機能エレメント（３）は、カム軸に支持されており、カム軸の変位によって適切に変位されるようになっているか、または、制御軸（１１）は、クランク軸として形成されており、該制御軸（１１）に対応して配置された曲げ−機能エレメント（３）は、クランク軸に支持され、有利には、制御軸（１１）は、撓曲されたワイヤとして形成されており、さらに有利には、制御軸（１１）は、同時に駆動モータ（１３）のモータ軸（１４）を成している、請求項１４記載の車両ロック。
【請求項１６】
制御位置「ロック作動」および「盗難防止」への制御軸（１１）の変位が、ブロック運転で行われ、有利には、制御軸（１１）は、ブロック輪郭（１１ｃ）を備えており、該ブロック輪郭（１１ｃ）は、ブロックレメント（１７）と係合されるようになっており、さらに有利には、ブロックエレメント（１７）は、特にモータ式に変位されるように形成されていて、ブロック位置「ロック作動」および「盗難防止」に変位されるようになっており、さらに有利には、制御軸（１１）は、降下輪郭（１１ｄ）を備えており、該降下輪郭（１１ｄ）は、制御軸（１１）を制御位置「盗難防止」から制御位置「ロック解除」へ手動で変位する際にブロックエレメント（１７）と係合し、ブロックエレメント（１７）をブロック位置「ロック作動」に移行させる、請求項１４および場合によっては請求項１５記載の車両ロック。
【請求項１７】
特に曲げ−機能エレメント（３）は、調節エレメント、有利には戻り止め（１）、外側作動レバー（４）または内側作動レバー（５）と連結されており、曲げ−機能エレメント（３）は、調節エレメント（１；４；５）の予荷重を提供する、請求項１から１６までのいずれか１項記載の車両ロック。
【請求項１８】
ロック機構（２）は、並行して機能状態「チャイルドロック作動」に調節されるようになっており、機能状態「チャイルドロック作動」に調節することによって、機能位置「ロック解除」が自動的に機能位置「ロック解除−チャイルドロック作動」に移行し、機能位置「ロック解除−チャイルドロック作動」では、内側作動レバー（５）が、戻り止め（１）から分離され、外側作動レバー（４）が、戻り止め（１）と連結されており、有利には、機能位置「ロック解除−チャイルドロック」は、機能位置「ロック解除」と機能位置「ロック作動」との間に位置する、請求項９および場合によっては請求項１０から１７までのいずれか１項記載の車両ロック。
【請求項１９】
機能状態「チャイルドロック作動」を実現するために、制御駆動装置（１０）は、変位可能なチャイルドロックエレメント（２０）を備えており、該チャイルドロックエレメント（２０）は、機能状態「チャイルドロック作動」で、曲げ−機能エレメント（３）を、制御位置「ロック解除」に制御軸（１１）を変位させる際に、機能位置「ロック解除」に先行する機能位置「ロック解除−チャイルドロック」で保持し、有利には、チャイルドロックエレメント（２０）は、チャイルドロック軸として形成されており、さらに有利には、チャイルドロック軸（２０）は、制御軸（１１）に向けられており、さらに有利には、チャイルドロック軸（２０）は、少なくとも部分的に、有利には全体的に制御軸（１１）に組み込まれており、さらに有利には、チャイルドロック軸（２０）は、少なくとも部分的に、有利には全体的に制御軸（１１）の凹部に配置されている、請求項１８記載の車両ロック。
【請求項２０】
ロック機構（２）の現行の機能状態を検出するための検出装置（２５）が設けられており、該検出装置（２５）によって、曲げ−機能エレメント（３）の変位が検出されるようになっている、請求項１から１９までのいずれか１項記載の車両ロック。
【請求項２１】
制御駆動装置（１０）のモータ要素を収容するための電子素子支持体（３１）が設けられており、該電子素子支持体（３１）は、車両ロックに対して、機械駆動結合に必要な貫通孔を除く残りの部分で封入されており、有利には、ブロックエレメント（１７）およびブロック輪郭（１１ｃ）は、電子素子支持体（３１）の内側に配置されている、請求項１から２０までのいずれか１項記載の車両ロック。
【手続補正２】
【補正対象書類名】明細書
【補正対象項目名】０００１
【補正方法】変更
【補正の内容】
【０００１】
本発明は、請求項１の上位概念に記載の車両ロックに関する。
【手続補正３】
【補正対象書類名】明細書
【補正対象項目名】００１０
【補正方法】変更
【補正の内容】
【００１０】
請求項６記載の有利な形態では、曲げ−機能エレメントが、車両ロックの２つの調節エレメントの間の切換可能な連結部を提供する。連結機能は、簡単に、１調節エレメントが別の調節エレメントの運動に追従できるように、曲げ−機能エレメントが、適切な曲げによって、連結しようとする調節エレメントの運動領域に変位されることによって、実現される。弾性によって、曲げ−機能エレメントも同様に、この運動に追従することができる。このような曲げ−機能エレメントとの連結の実現は、構造上の僅かな手間で行われる。
【手続補正４】
【補正対象書類名】明細書
【補正対象項目名】００１１
【補正方法】変更
【補正の内容】
【００１１】
曲げ−機能エレメントの変位の特に簡単な実現は、請求項１４の対象である。ここでは１形態で、制御軸を有する制御駆動装置が設けられており、制御軸に、割り当てられた曲げ−機能エレメントが支持される。これは構造的に簡単に実現される。その格別な利点によれば、制御軸は、異なる曲げ−機能エレメントに割り当てられた、相並んで配置された複数の制御区分を有することができる。
【手続補正５】
【補正対象書類名】明細書
【補正対象項目名】００１２
【補正方法】変更
【補正の内容】
【００１２】
請求項１８に記載した有利な形態によれば、ロック機構が、並行して、機能状態「チャイルドロック作動」に調節可能である。機能状態「チャイルドロック作動」の調節は、残りの機能状態の調節に並行して行われる。なぜならばたとえばロック解除およびロック作動は、チャイルドロックの導入にもかかわらず行われ、つまりチャイルドロックの導入に並行して行うことができる。このことは、機能位置「ロック解除」が、チャイルドロックの導入時に、自動的に機能位置「ロック解除−チャイルドロック作動」に移行することによって実現される。つまりロック解除過程によって、チャイルドロックの導入時に、もはや機能位置「ロック解除」ではなく機能位置「ロック解除−チャイルドロック作動」に曲げ−機能エレメントが変位される。
【手続補正６】
【補正対象書類名】明細書
【補正対象項目名】００１３
【補正方法】削除
【補正の内容】
【手続補正７】
【補正対象書類名】明細書
【補正対象項目名】０１２２
【補正方法】変更
【補正の内容】
【０１２２】
制御駆動装置１０自体の権利が要求される。前述のあらゆる形態の制御駆動装置１０は、別の思想に広範囲に適用される。
【手続補正８】
【補正対象書類名】明細書
【補正対象項目名】０１２３
【補正方法】変更
【補正の内容】
【０１２３】
ここで言及しておくと、提案した制御駆動装置１０の格別な利点によれば、各制御位置の応答が、制御軸１１に適切なセンサを対応して配置することにより簡単に実現される。センサは、簡単なマイクロスイッチ、場合によっては多段式のマイクロスイッチとして形成することができる。